(57)【要約】【課題】苗木を育成する際において一般的に用いられる肥料等の空袋を用いて安価に、作業性よく苗木の囲いを形成することが可能な育苗用枠体を提供すること。【解決手段】一端が支柱２０に固定され、支柱２０と交差する固定フレーム４２と、固定フレーム４２に突設された固定側脚部４４とを備えた固定枠体部４０と、支柱２０に回転自在な回転ヒンジ３０に一端が固定され、支柱２０と交差する可動フレーム５２と、可動フレーム５２に突設された可動側脚部５４とを備えた可動枠体部５０と、を具備し、苗木１００から所要距離離反した位置に支柱２０を配設し、固定フレーム４２の他端側に可動フレーム５２の他端側を近づけて苗木１００を固定枠体部４０と可動枠体部５０で囲み、支柱２０の下端部、固定側脚部４４、可動側脚部５４を地面に埋設することで設置される育苗用枠体１０である。【選択図】図７
0003170389.tif 000002
【実用新案登録請求の範囲】
【請求項１】
地中に植えられた苗木を囲むように設置される一対の枠体部が支柱に開閉可能に取り付けられた育苗用枠体であって、
一端側が前記支柱に固定され、他端側に至るまで前記支柱の長手方向と交差する方向に延設された固定フレームと、該固定フレームに突設された固定側脚部と、を備えた固定枠体部と、
前記支柱を中心に回転自在に組み付けられた回転ヒンジに一端側が固定され、他端側に至るまで前記支柱の長手方向と交差する方向に延設された可動フレームと、該可動フレームに突設された可動側脚部と、を備えた可動枠体部と、を具備し、
前記苗木の植栽位置から所要距離離反した位置に前記支柱を配設し、前記固定フレームの他端側に対して前記可動フレームの他端側を近づけて前記苗木を前記固定枠体部と前記可動枠体部で囲んだまま、前記支柱の下端部と、前記固定側脚部および前記可動側脚部を各々地面に埋設することで前記苗木の周囲に前記一対の枠体部が設置されることを特徴とする育苗用枠体。
【請求項２】
前記固定フレームと前記可動フレームには、前記一対の枠体部の外周側を筒状に覆って装着されるシート材を固定するシート材固定部が設けられていることを特徴とする請求項１記載の育苗用枠体。
【請求項３】
前記固定フレームと前記可動フレームには、前記シート材固定部としてスリットを形成する板ばね部が各々設けられており、前記シート材を前記スリットに挿入して前記板ばね部で挟み込んで装着されることを特徴とする請求項２記載の育苗用枠体。
【請求項４】
前記固定フレームと前記可動フレームの他端側には、凹凸嵌合可能な嵌合部が設けられており、前記シート材の両端部のうちの少なくとも一方を前記スリットに挿入させて装着されることを特徴とする請求項３記載の育苗用枠体。
【請求項５】
前記回転ヒンジは、前記支柱の長手方向に沿って複数箇所に設けられ、
前記固定フレームと、前記可動フレームは一対の円弧状フレームに形成されており、
前記支柱の長手方向に沿って、前記固定フレームどうし、および、前記可動フレームどうしが連結部により連結されていることを特徴とする請求項４記載の育苗用枠体。
【考案の詳細な説明】
【技術分野】
【０００１】
本考案は苗木を霜害や鳥獣による食害から保護するための保護空間を形成するために用いて好適な育苗用枠体に関する。
【背景技術】
【０００２】
野菜等の苗木を栽培する際において、霜害や鳥獣による食害を防止するために、苗木の周囲をシート材により被覆して苗木を保護する方法がある。
苗木を保護する際には、囲いを形成するシート材を保持するための支柱が用いられている。このような支柱としては、例えば、特許文献１に開示されているような構成のものが知られている。
【先行技術文献】
【特許文献】
【０００３】
【特許文献１】実用新案登録第３０１９９８１号公報
【考案の概要】
【考案が解決しようとする課題】
【０００４】
特許文献１には、図８に示すように、苗木１の種類に応じた高さをそのシートの幅とする半透明シート２の全幅に亘り、一定の間隔を置き支柱袋４を多数融着して設けた長尺の育成シート５を用いる。また、育成シート５の幅より長くした支柱８を各支柱袋４内に挿通して、支柱８を田畑９に立設し、育成シート５を苗木１の回りを囲むように張設した後に、育成シート５を適宜の長さに切断する。このように育成シート５により苗木１の周りを囲むことで、苗木１の保護空間を形成する技術が開示されている。
【０００５】
特許文献１に開示されているように、苗木１の周りに育成シート５を張設するためには、専用の育成シート５が必要となる。すなわち、育成シート５に支柱８を挿通するための袋状の支柱袋４を形成しなければならず、育成シート５の製造コストが高くなってしまうという課題がある。また、長尺の育成シート５の支持袋４に支柱８を逐一挿通させなければならないうえに、育成シート５を切断しなければならないため、作業性が悪いという課題もある。さらには、育成シート５に支持袋４を形成する間隔に支柱８を立設させる位置が制約され、種類や大きさが異なる苗木１に応じて適切な位置に支柱８を立設し難い場合もある。
【０００６】
そこで本考案は、苗木を育成する際において一般的に用いられる肥料等の空袋を用いて安価に、作業性よく苗木の囲いを形成することが可能な育苗用枠体の提供を目的としている。
【課題を解決するための手段】
【０００７】
上記課題を解決するために本考案者は鋭意研究を行った結果、以下の構成に想到した。
すなわち、地中に植えられた苗木を囲むように設置される一対の枠体部が支柱に開閉可能に取り付けられた育苗用枠体であって、一端側が前記支柱に固定され、他端側に至るまで前記支柱の長手方向と交差する方向に延設された固定フレームと、該固定フレームに突設された固定側脚部と、を備えた固定枠体部と、前記支柱を中心に回転自在に組み付けられた回転ヒンジに一端側が固定され、他端側に至るまで前記支柱の長手方向と交差する方向に延設された可動フレームと、該可動フレームに突設された可動側脚部と、を備えた可動枠体部と、を具備し、前記苗木の植栽位置から所要距離離反した位置に前記支柱を配設し、前記固定フレームの他端側に対して前記可動フレームの他端側を近づけて前記苗木を前記固定枠体部と前記可動枠体部で囲んだまま、前記支柱の下端部と、前記固定側脚部および前記可動側脚部を各々地面に埋設することで前記苗木の周囲に前記一対の枠体部が設置されることを特徴とする育苗用枠体である。
【０００８】
また、前記固定フレームと前記可動フレームには、前記一対の枠体部の外周側を筒状に覆って装着されるシート材を固定するシート材固定部が設けられていることが好ましい。これにより、シート材の端部等のシート材の一部を固定フレームと可動フレームに固定して装着することができ、シート材の装着作業を簡易に行うことができる。
【０００９】
また、前記固定フレームと前記可動フレームには、前記シート材固定部としてスリットを形成する板ばね部が各々設けられており、前記シート材を前記スリットに挿入して前記板ばね部で挟み込んで装着されることが好ましい。これにより板ばね部にシート材の両端部等シート材の一部を挟み込んだ状態で各フレームに装着でき、シート材の着脱を容易に行うことができる。
【００１０】
さらに、前記固定フレームと前記可動フレームの他端側には、凹凸嵌合可能な嵌合部が設けられており、前記シート材の両端部のうちの少なくとも一方を前記スリットに挿入させて装着されることが好ましい。これにより、固定枠体部の他端部と可動枠体部の他端部を閉合させることができ、固定枠体と可動枠体を囲むシート材にテンションをかけた状態にすることができる。すなわち、強風時においてもシート材をばたつかせることがなく、シート材が苗木に衝突することによる苗木の損傷を防止することができる。
【００１１】
さらにまた、前記回転ヒンジは、前記支柱の長手方向に沿って複数箇所に設けられ、前記固定フレームと、前記可動フレームは一対の円弧状フレームに形成されており、前記支柱の長手方向に沿って、前記固定フレームどうし、および、前記可動フレームどうしが連結部により連結されていることが好ましい。これにより、固定フレームと可動フレームを連結部により連結することができ、歪みのない枠体部を構成することができ、シート材を円弧状フレームに密着させた状態で装着することができる。
【考案の効果】
【００１２】
本考案にかかる育苗用枠体の構成によれば、苗木を育成する際において一般的に用いられる肥料等の空袋を用いて安価に、作業性よく、かつ、簡易に苗木の囲いを形成することが可能になる。
【図面の簡単な説明】
【００１３】
【図１】第１の実施形態にかかる育苗用枠体の斜視図である。
【図２】第１の実施形態にかかる育苗用枠体の平面図である。
【図３】図１のＡ−Ａ線における概略断面図である。
【図４】第２の実施形態にかかる育苗用枠体の斜視図である。
【図５】図４中のＢ部分における板ばね部の拡大斜視図である。
【図６】第３の実施形態にかかる育苗用枠体の平面図である。
【図７】第３の実施形態にかかる育苗用枠体の設置状態を示す斜視図である。
【図８】従来技術の一例を示す斜視図である。
【考案を実施するための最良の形態】
【００１４】
以下、本考案にかかる育苗用枠体の実施形態について図面に基づいて説明する。
【００１５】
（第１の実施形態）
本実施形態にかかる育苗用枠体１０は、図１および図２に示すように、苗木１００が植えられている畑の地中に先端部２２を埋設させて立設する支柱２０と、一端縁側が支柱２０に固定された固定枠体部４０と、一端縁側が支柱２０を中心として回転自在に固定された可動枠体部５０と、を有している。このような育苗用枠体１０は、合成樹脂や金属材料またはこれらの組み合わせた材料により形成することが好適である。
【００１６】
支柱２０は、地中に埋設させる先端部２２と、先端部２２が着脱可能な本体部２４と、を有している。支柱２０の先端部２２は、ほぼ円錐状に形成されている。先端部２２は金属材料により形成されていることが好ましい。
先端部２２と本体部２４との連結は、先端部２２の上端部と本体部２４の下端部とに、雄ねじ部とこの雄ねじ部に螺合する雌ねじ部を各々形成し、互いを螺着させることにより連結することができるが、スナップフィット構造により本体部２４に先端部２２を着脱自在に取り付ける構造を採用することもできる。なお、先端部２２と本体部２４とは一体に形成されていてもよい。
【００１７】
支柱２０には、支柱２０の長手方向である畑への立設方向の軸を中心として本体部２４に回転自在な回転ヒンジが組み付けられている。本実施形態においては、回転ヒンジとして図１〜図３に示すような回転体３０を採用している。
支柱２０と回転体３０の取り付け構造について説明する。図３に示すように、支柱２０の本体部２４には、本体部２４の他の外周部分よりも細径寸法に形成された凹溝２４Ａが形成されている。また、回転体３０には、本体部２４が挿通可能な円筒形に形成された本体部３０Ａと、本体部３０Ａの内周面の一部が内側に突出する突出部３０Ｂとが形成されている。ここで、突出部３０Ｂの内径寸法は、本体部２４の外径寸法以下に形成されている。
【００１８】
回転体３０の中空部に本体部２４（支柱２０）を挿通させると、回転体３０の突出部３０Ｂが本体部２４の外周面により押圧されて弾性変形し、回転体３０を本体部２４の外周面上にスライド移動させることができる。回転体３０を本体部２４にスライド移動させて突出部３０Ｂが本体部２４の凹溝２４Ａの配設位置に到達すると、突出部３０Ｂの弾性変形状態が復元し、突出部３０Ｂが凹溝２４Ａに凹凸嵌合することになる。このようにして回転体３０が本体部２４（支柱２０）を中心として回転可能に、かつ、抜け止めされた状態で組み付けられている。凹溝２４Ａと突出部３０Ｂの先端面は、互いに球面等の曲面状に形成されていることが好ましい。本実施形態においては、支柱２０の上部位置と下部位置の二箇所に回転体３０が組み付けられている。
【００１９】
次に、固定枠体部４０と可動枠体部５０について説明する。図１および図２に示すように、支柱２０には、一端縁が本体２４に固定された固定枠体部４０と、一端縁が回転体３０に固定された可動枠体部５０が取り付けられている。
固定枠体部４０は、一端が本体２４に固定され、他端側に至るまで支柱２０の長手方向と交差する方向（ここでは水平方向）に延設された複数の固定フレーム４２と、固定フレーム４２の他端側に突設された固定側脚部４４と、を有している。本実施形態にかかる固定フレーム４２は、平面視形状が円弧状に形成された線状体により形成されている。本体部２４と固定フレーム４２の一端部と、固定フレーム４２の他端部と固定側脚部４４とは、接着や溶接等の公知の方法により連結されている。固定側脚部４４の下端部の位置は、先端部２２位置よりも若干上方側位置となるように形成されている。
【００２０】
可動枠体部５０は、一端が回転体３０に固定され、他端側に至るまで支柱の長手方向と交差する方向（ここでは水平方向）に延設された複数の可動フレーム５２と、可動フレーム５２の他端側に突設された可動側脚部５４と、を有している。本実施形態においては、可動フレーム５２は、平面視形状が円弧状に形成された線状体により形成されている。回転体３０と可動枠体部５０との連結は、可動フレーム５２の一端部を回転体３０に接着等の公知の方法によりなされていて、可動フレーム５２と可動側脚部５４との連結は、接着や溶接等の公知の方法によりなされている。可動側脚部５４の下端部の位置は、本体部２４の下端部に連結された先端部２２の位置よりも若干上方側位置となるように形成されている。
先にも説明したように、回転体３０は本体部２４（支柱２０）の長手方向の軸を中心として回転可能に取り付けられているから、回転体３０に連結された可動枠体部５０もまた本体部２４に対して回転可能である。
【００２１】
本実施形態においては、固定枠体部４０を構成する固定フレーム４２の曲率半径と、可動枠体部５０を構成する可動フレーム５２の曲率半径と、がほぼ等しい寸法に形成されている。すなわち、可動枠体部５０を本体部２４（支柱２０）の長手方向の軸を中心に回動させると、可動枠体部５０の可動側脚部５４と固定枠体部４０の固定側脚部４４とは互いに当接することになり、固定枠体部４０と可動枠体部５０とにより円筒体を形成することができる。このように形成された育苗用枠体１０は、苗木が筒状体空間のほぼ中央位置となるようにして畑に立設される。そして、畑に設置された育苗用枠体１０の固定枠体部４０と可動枠体部５０の外周面（外表面）にシート材が装着され、育苗用空間が形成される。
【００２２】
（第２の実施形態）
次に、育苗用枠体１０の第２の実施形態について説明する。図４は、第２の実施形態にかかる育苗用枠体１０の斜視図である。なお、本実施形態においては、第１の実施形態と共通する構成については第１の実施形態で用いた符号を附すことによりここでの詳細な説明は省略している。
本実施形態においては、固定枠体部４０の固定フレーム４２と可動枠体部５０の可動フレーム５２に対して、固定側脚部４４および可動側脚部５４に平行な連結部４６，５６が配設されている。この連結部４６，５６は、高さ方向に複数配設された固定フレーム４２どうし、および可動フレーム５２どうしを連結させるものである。
【００２３】
この連結部４６，５６は、図４に示すように下端部を固定側脚部４４および可動側脚部５４と同じ長さに形成してもよいし、最上部に位置する固定フレーム４２および可動フレーム５２と、最下部に位置する固定フレーム４２および可動フレーム５２とを連結するだけの長さであってもよい。このような連結部４６，５６を用いることにより、固定枠体部４０と可動枠体部５０に装着するシート材（図７参照。以下同じ。）のばたつきを抑えることができ、強風時にシート材がばたつくことにより生じる騒音や、シート材が苗木（図７参照。以下同じ。）に衝突することによる苗木の損傷を防止することができる点において好都合である。
【００２４】
また、本実施形態における育苗用枠体１０は、固定枠体部４０と可動枠体部５０の固定側脚部４４と可動側脚部５４にシート材を固定するシート材固定部が配設されている。ここではシート材固定部として、図５に示すような板ばね部７０を採用している。具体的には、固定側脚部４４または可動側脚部５４に取り付けられる挿通体７２と、挿通体７２の外周面の一部から固定側脚部４４または可動側脚部５４とほぼ平行に上方に向かって延伸する板ばね体７４と、板ばね体７４の上端側には板ばね体７４から固定側脚部４４側または可動側脚部５４側に突出する突出部７６と、を有する。板ばね部７０の構成は、筆記具等を胸ポケットに係止させるために用いられる筆記具等に取り付けられているクリップの機構と同様の機構を採用することができる。このような板ばね部７０によりシート材が挟み込まれるスリットが形成される。
【００２５】
このような板ばね部７０を設けることで、固定枠体部４０と可動枠体部５０の外周面に装着したシート材６０の端縁部を固定側脚部４４および可動側脚部５４と板ばね部７０との間に形成されたスリット部分に挿入して挟持することができ、固定側脚部４４と可動側脚部５４にシート材６０の端縁部を固定する際の手間を大幅に軽減させることができる。
【００２６】
（第３の実施形態）
次に、育苗用枠体１０の第２の実施形態について説明する。図６は、第３の実施形態にかかる育苗用枠体１０の平面図である。なお、本実施形態においても、第１および第２の実施形態と共通する構成については第１および第２の実施形態で用いた符号を附すことによりここでの詳細な説明は省略している。
本実施形態においては、固定枠体部４０の固定側脚部４４側の端縁と可動枠体部５０の可動側脚部５４側の端縁とを互いに凹凸嵌合させるための嵌合部８０が設けられている点が特徴的である。
【００２７】
本実施形態における嵌合部８０は、固定枠体部４０側に取り付けられた柱状体８２と、可動枠体部５０側に取り付けられた溝体８４とを有している。溝体８４は柱状体８２の径寸法と同径寸法またはわずかに大径寸法の円弧状に形成されていて、溝体８４の開口端部を柱状体８２に押し付けて弾性変形により拡径させることで柱状体８２に溝体８４を凹凸嵌合させることができる。
柱状体８２および溝体８４にはシート材固定部として極細のスリット７６，７８を形成しておけば固定枠体部４０と可動枠体部５０とを凹凸嵌合させる際に、シート材６０を固定枠体部４０と可動枠体部５０の外周に張設する処理も同時に行うことができる点においてきわめて効率的である。
【００２８】
また、肥料等が収容されていた空き袋をシート材６０として用いる場合には、スリット７６を柱状体８２の直径位置に、スリット７８を溝体８４の所要箇所に２箇所配設しておけば好都合である。具体的には空き袋の開口部側端縁を柱状体８２のスリット７６と溝体８４のスリット７８，７８にそれぞれ差し込み、スリット７６，７８により空き袋を挟持させておけば空き袋が育苗用枠体１０から外れてしまうことはない。また、この状態で、空き袋の底部を開口させると共に、外周面を空き袋の深さ方向に沿って切断すれば、空き袋をきれいな長方形状シートに加工することができる点においても都合がよい。
【００２９】
次に本願発明にかかる育苗用枠体１０の具体的な使用方法について図７に基づいて説明する。
まず、畑等の地表面Ｇに植えられた苗木１００から所要距離離れた位置に本体部２４の先端部２２を地面に差し込む。このとき、固定枠体部４０と可動枠体部５０の位置を確認し、固定枠体部４０と可動枠体部５０とにより形成される筒状体の中央位置に苗木１００の位置が位置するように支柱２０の先端部２２の差し込み位置を決めておく。具体的には、本体部２４と固定枠体部４０の固定側脚部４４との略中心位置に苗木１００が位置するように配設すればよい。この時点ではまだ先端部２２の差し込み状態は仮差し込み状態にしておくことが好ましい。
【００３０】
先端部２２を仮差し込みした後、固定枠体部４０と可動枠体部５０の外側面にシート材６０を覆うようにして装着する。ここでは、シート材６０として肥料の空袋を用いた。肥料の空袋は、底部を切り裂いて筒状体とした後に筒状体の側面を延長方向に切断しシート体に形成することができる。このようにして得たシート材６０の端縁をスリット７６，７８に差し込んだ後、可動枠体部５０を回転体３０と共に本体部２４の長手方向の軸線周りに回動させ、可動枠体部５０の先端縁となる溝体８４を固定枠体部４０の先端縁となる柱状体８２に凹凸嵌合させる。このときシート体の端縁がそれぞれ柱状体８２と溝体８４との間で挟持されるようにしておけば、シート材６０の端縁部を固定する処理と固定枠体部４０と可動枠体部５０とを凹凸嵌合させる処理を同時に行うことができ、作業を省力化することができる。
最後に、固定側脚部４４と可動側脚部５４の下端部と先端部２２を地面に差し込み（埋設）すれば、育苗用枠体１０の設置（苗木保護空間２００の形成）が完了する。
【００３１】
以上のように、複数の実施形態に基づいて本考案にかかる育苗用枠体１０の構成について説明をしたが、本考案にかかる育苗用枠体１０の技術的範囲は、以上に示した実施形態に限定されるものではない。例えば、本実施形態においては、シート材６０として使用済みの空の肥料袋を用いているが、シート材６０として古新聞やネットを用いることもできる。シート材６０として古新聞を利用すれば、低コストで使い捨て方式での利用が可能であると共に、廃棄処分が容易になる点で好都合である。また、シート材６０としてネットを用いた場合、苗木保護空間２００は側面の通気性が確保された状態にすることができ、苗木保護空間２００の上面も被覆することも可能となる。このような実施形態は、出荷直前の野菜や果物を鳥獣による食害から保護する際において特に好都合である。
【００３２】
また、以上の実施形態においては固定フレーム４２と可動フレーム５２をそれぞれ円弧状に湾曲させた形態について説明しているが、固定フレーム４２と可動フレーム５２を屈曲形状に形成してもよい。要は、固定枠体部４０と可動枠体部５０とにより側面をほぼ閉塞することができる形態であれば、固定フレーム４２と可動フレーム５２は、屈曲形状・湾曲形状のいずれかまたはそれらの組み合わせであってもよい。
【００３３】
また、第２の実施形態においては、シート材固定部として板ばね部７０を用い、第３の実施形態においてはシート材固定部としてスリット７６，７８を用いた形態を示しているが、シート材固定部は以上の実施形態に限定されるものではない。また、シート材固定部はいずれも固定枠体部４０の固定側脚部４４と可動枠体部５０の可動側脚部５４にそれぞれ配設しているが、固定フレーム４２の中間位置（例えば連結部５６）や可動フレーム５２の中間位置（例えば連結部５６）にシート材固定部を配設することももちろん可能である。
【００３４】
また、第３の実施形態においては、嵌合部８０として固定枠体部４０に柱状体８２を、可動枠体部５０に溝体８４を配設した形態について説明しているが、柱状体８２と溝体８４とを入れ替えた形態であってもよい。また、固定枠体部４０の固定側脚部４４側の端縁と可動枠体部５０の可動側脚部５４側の端縁を凹凸嵌合することができる形態であれば、柱状体８２とこれに嵌合する溝体８４の組み合わせ以外の嵌合部８０の構成を採用することも可能である。
【００３５】
さらには、以上に説明した実施形態の一部を他の実施形態に追加した形態や、互いの実施形態の構成の一部を置き換えた形態であっても、本願考案の技術的範囲に属するのはもちろんである。
【符号の説明】
【００３６】
１０  育苗用枠体
２０  支柱
２２  先端部
２４  本体部
２４Ａ  凹溝
３０  回転体
３０Ａ  本体部
３０Ｂ  突出部
４０  固定枠体部
４２  固定フレーム
４４  固定側脚部
４６，５６  連結部
５０  可動枠体部
５２  可動フレーム
５４  可動側脚部
６０  シート材
７０  板ばね部
７２  挿通体
７４  板ばね体
７６  突出部
７６，７８  スリット
８０  凹凸嵌合部
８２  柱状体
８４  溝体
１００  苗木
２００  苗木保護空間
【図１】
0003170389.tif 000003
【図２】
0003170389.tif 000004
【図３】
0003170389.tif 000005
【図４】
0003170389.tif 000006
【図５】
0003170389.tif 000007
【図６】
0003170389.tif 000008
【図７】
0003170389.tif 000009
【図８】
0003170389.tif 000010